【事件の表示】
　特許第２５９２８１８号「画像読み取り装置」の特許に対する特許異議の申立てについて、次のとおり決定する。
【結論】
　訂正を認める。
　特許第２５９２８１８号の特許を維持する。
【理由】
Ｉ　手続きの経緯
　本件特許第２５９２８１８号発明（以下「本件特許発明」という）は、昭和６２年１月１９日に特許出願され、平成８年１２月１９日にその特許の設定登録がなされたものであり、その後、平成９年９月１９日に深作千恵子より特許異議の申立てがなされ、平成１０年１月２９日に取消理由が通知され、平成１０卑４月２１日に訂正請求がされ、平成１１年１月８日に審尋がなされ、平成１１年４月５日に回答がされ、平成１１年５月７日に訂正拒絶理由が通知され、平成１１年５月７日に手続補正（訂正請求書）されたものである。
ＩＩ　訂正の適否
１　訂正の要旨
　訂正の要旨は、本件特許発明の明細書を補正された訂正請求書に添付された訂正明細書の通り、即ち下記の通り訂正することを求めるものである。
▲１▼訂正事項ａ
　明細書の特許請求の範囲に係る記載「イメージセンサと、前記イメージセンサから出力された画像信号を増幅する第１の増幅手段と、前記第１の増幅手段により増幅された画像信号の信号レベルが回路直線動作領域内に存在するように前記第１の増幅手段の動作バイアス点を決定する第一の直流再生クランプ手段と、前記第１増幅手段により増幅された画像信号を増幅する第２の増幅手段と、前記第２の増幅手段により増幅された画像信号をデジタル信号に変換するＡ／Ｄ変換手段と、前記第２の増幅手段により増幅された画像信号の黒レベルが前記Ａ／Ｄ変換手段の動作領域内の黒レベルと同じになるように前記第２の増幅手段の動作バイアス点を決定する第二の直流再生クランプ手段と、を有することを特徴とする画像読み取り装置。」を、
　「（１）イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプティ力ルブラック部分を所定電位にクランプすることによって前記第２の増幅手段の動作バイアス点を決定する第一の直流再生クランプ手段と、前記第２の増幅手段により増幅された画像信号を増幅する第３の増幅手段と、前記第３の増幅手段により増幅された画像信号をデジタル信号に変換するＡ／Ｄ変換手段と、前記第３の増幅手段により増幅された画像信号中の前記イメージセンサのオプティカルブラツク部分を前記Ａ／Ｄ変換手段の動作領域内の黒レベルと同じになるようにクランプすることによって前記第３の増幅手段の動作バイアス点を決定する第二の直流再生クランプ手段と、を有することを特徴とする画像読み取り装置。」と訂正する。
▲２▼訂正事項ｂ
　明細書第３頁第１１行目〜同１７行目（特許公報第２頁左欄１６〜２８行）の「本発明によれば、イメージセンサと、前記イメージセンサから出力された画像信号を増幅する第１の増幅手段と、前記第１の増幅手段により増幅された画像信号の信号レベルが回路直線動作領域内に存在するように前記第１の増幅手段の動作バイアス点を決定する第一の直流再生クランプ手段と、前記第１の増幅手段により増幅された画像信号を増幅する第２の増幅手段と、前記第２の増幅手段により増幅された画像信号をデジタル信号に変換するＡ／Ｄ変換手段と、前記第２の増幅手段により増幅された画像信号の黒レベルが前記Ａ／Ｄ変換手段の動作領域内の黒レベルと同じになるように前記第２の増幅手段の動作バイアス点を決定する第二の直流再生クランプ手段と、を有することを特徴とする。」を
　「本発明によれば、イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプティカルブラック部分を所定電位にクランプすることによって前記第２の増幅手段の動作バイアス点を決定する第一の直流再生クランプ手段と、前記第２の増幅手段により増幅された画像信号を増幅する第３の増幅手段と、前記第３の増幅手段により増幅された画像信号をデジタル信号に変換するＡ／Ｄ変換手段と、前記第３の増幅手段により増幅された画像信号中の前記イメージセンサのオプティカルブラツク部分を前記Ａ／Ｄ変換手段の動作領域内の黒レベルと同じになるようにクランプすることによって前記第３の増幅手段の動作バイアス点を決定する第二の直流再生クランプ手段と、を有することを特徴とする。」と訂正する。
▲３▼　訂正事項ｃ
　明細書第７頁第６行目〜第１５行目（特許公報第２頁右欄４２行〜第３頁左欄９行目）の「以上説明したように、本発明の画像読み取り装置では、イメージセンサと前記イメージセンサから出力された画像信号を増幅する第１の増幅手段と、前記第１の増幅手段により増幅された画像信号の信号レベルが回路直線動作領域内に存在するように前記第１の増幅手段の動作バイアス点を決定する第一の直流再生クランプ手段と、前記第１の増幅手段により増幅された画像信号を増幅する第２の増幅手段と、前記第２の増幅手段により増幅された画像信号をデジタル信号に変換するＡ／Ｄ変換手段と、前記第２の増幅手段により増幅された画像信号の黒レベルが前記Ａ／Ｄ変換手段の動作領域内の黒レベルと同じになるように前記第２の増幅手段の動作バイアス点を決定する第二の直流再生クランプ手段と、を有する構成とした。このように構成したことにより、低い電圧でダイナミックレンジが大きく、安定した高画質な画像を再現できるようになった。また、電源電圧の低減により、電源を簡素化し、回路を集積化できるようになった。さらに装置の大幅なコストダウンを可能とした。」を
　「以上説明したように、本発明の画像読み取り装置では、イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプティカルブラツク部分を所定電位にクランプすることによって前記第２の増幅手段の動作バイアス点を決定する第一の直流再生クランプ手段と、前記第２の増幅手段により増幅された画像信号を増幅する第３の増幅手段と、前記第３の増幅手段により増幅された画像信号をデジタル信号に変換するＡ／Ｄ変換手段と、前記第３の増幅手段により増幅された画像信号中の前記イメージセンサのオプティカルブラック部分を前記Ａ／Ｄ変換手段の動作領域内の黒レベルと同じになるようにクランプすることによって前記第３の増幅手段の動作バイアス点を決定する第二の直流再生クランプ手段と、を有する構成とした。このように構成したことにより、低い電圧でダイナミックレンジが大きく、安定した高画質な画像を再現できるようになった。また、電源電圧の低減により、電源を簡素化し、回路を集積化できるようになった。さらに装置の大幅なコストダウンを可能とした。」と訂正する。
▲４▼　訂正事項ｄ
　明細書第３頁第４行目（特許公報第２頁左欄９行目）の「増幅器１２−１」を「増幅器２２−１」に訂正する。
▲５▼　訂正事項ｅ
　明細書第３頁第５行目（特許公報第２頁左欄９行目）の「増幅器１２−１」を「増幅器２２−１」に訂正する。
▲６▼　訂正事項ｆ
　明細書第４頁第１６行目〜第１７行目（特許公報第２頁左欄４６行目）の「ＤＣクランブ４回路」を「ＤＣクランプ回路」に訂正する。
▲７▼　訂正事項ｇ
　明細書第５頁第２行目〜第４行目（特許公報第２頁右欄１〜２行目）の「第２−１図▲１▼で示すオプチカルブラツクに対応したＤＫ及ぶＧ、Ｂ、Ｒ」を「第２図▲１▼で示すオプチカルブラックに対応したＤＫ及ぶＧ、Ｂ、Ｒ」に訂正する。
２　訂正の目的・範囲の適否と拡張・変更の存否
　前記訂正事項ａ〜訂正事項ｇについて検討する。
　前記訂正事項ａは、「第１の増幅手段と、第１の増幅手段の動作バイアス点を決定する第１の直流再生クランプ手段」を、「第１の増幅手段と、この第１の増幅手段の出力を増幅する第２の増幅手段と、第２の増幅手段の動作バイアス点を決定する第１の直流再生クランプ手段」に限定するものであるから、特許請求の範囲の減縮を目的とするものであり、
　前記訂正事項ｂは、訂正事項ａの特許請求の範囲の減縮に伴って、明細書中の「問題点を解決するための手段」の項を明瞭にしたものであるから、明瞭でない記載の釈明を目的とするものであり、
　前記訂正事項ｃは、訂正事項ａの特許請求の範囲の減縮に伴って、明細書中の「発明の効果」の項を明瞭にしたものであるから、明瞭でない記載の釈明を目的とするものであり、
　前記訂正事項ｄ〜ｇは、明細書の誤記を訂正したものであるから、誤記の訂正を目的とするものである。
　そして、前記各訂正は、願書に添付した明細書又は図面に記載した事項の範囲内であり、実質上特許請求の範囲を拡張し又は変更するものでない。
３　独立特許要件の存否
▲１▼　訂正後の本件特許発明
　訂正後の本件特許発明の目的、効果は「低い電圧でダイナミックレンジが大きく、安定した高画質な画像を再現」することであり、
その発明の構成は、「（１）イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプティカルブラック部分を所定電位にクランプすることによって前記第２の増幅手段の動作バイアス点を決定する第一の直流再生クランプ手段と、前記第２の増幅手段により増幅された画像信号を増幅する第３の増幅手段と、前記第３の増幅手段により増幅された画像信号をデジタル信号に変換するＡ／Ｄ変換手段と、前記第３の増幅手段により増幅された画像信号中の前記イメージセンサのオプティカルブラツク部分を前記Ａ／Ｄ変換手段の動作領域内の黒レベルと同じになるようにクランプすることによって前記第３の増幅手段の動作バイアス点を決定する第二の直流再生クランプ手段と、を有することを特徴とする画像読み取り装置。」である。
▲２▼　引用刊行物記載発明
　訂正拒絶理由通知において引用した刊行物１（特開昭６１−２７７２６９号公報）には、「原稿の白ピーク点及び黒ダーク点のおのおの出力レベルが所望の出力レベルに調整・設定することにより、ＣＣＤを用いた高品位のカラー画像読取を目的とするものである。」（第２頁左下欄１０行〜１４行）、「プログラムオフセッターは、プログラムアンプで、利得調整後、Ａ／Ｄ変換器入力にオフセットを追加し、原稿の黒点のある位置においてＣＣＤ出力の最小値が、所望の値になる様に制御部が自動調整する。こうすると前記白ピーク値が変化するので、再度プログラムアンプの調整へと繰り返し、白ピーク値が所望の値に収束するまで行う。」（第２頁右下欄１４行〜第３頁左上欄１行）、「第１図は、本発明の一実施例におけるカラー画像読み取り装置のブロック構成図である。第１図において、１０１はＣＣＤ、・・・１０６はＣＣＤ１０１のアナログ出力を増幅するヘッドアンプ、１０７はヘッドアンプ１０８の出力をプログラムにより任意の値に設定できるプログラムアンプ、１０８はプログラムにより任意の電圧を発生してプログラムアンプ１０７の出力にオフセットを加えることのできるプログラムオフセッター、１０９はＣＣＤ１０１の出力をデジタル変換するアナログ／デジタル変換器である。・・・１０５はヘッドアンプ１０６のアンプ利得を切換えるアンプ切換部、」（第３頁左上欄８行〜同頁右上欄２０行）、「ヘッドアンプ切り換え部１０５により、感度差の微調整を行い、プログラムアンプ１０７への入力レベルの等化を行う。次にプログラムアンプ１０７とプログラムオフセツター１０８により白点レベル・黒点レベル値の設定を行った後、Ａ／Ｄ変換器１０９でディジタル変換する。」（第４頁右上欄１８行〜同頁左下欄４行）、「第２図は、プログラムアンプ１０７とプログラムオフセツター１０８で所望の白点、黒点データを設定する様子を表したものであり、予め充分に正方向にオフセットをつけた状態で負方向にオフセット調整を行う事により、原稿の黒点を任意のレベル設定出来る事を示すものである。第２図で、Ｖ１を予めプログラムオフセッターにバイアスを設けて充分に画像の正方向にオフセットが乗った読み取り画像出力、Ｖ２はプログラムオフセツターでオフセット電圧Ｖｏｓが減算され、且つプログラムアンプで振幅がＶｇに調整された読み取り画像出力である。Ｖ２のｍａｘ値とｍｉｎ値がデジタル変換されて、白点画像読み取りレベルＤｍａｘ、及び黒点画像読み取りレベルＤｍｉｎに調整されていることを示している。」（第４頁右下欄３行〜１７行）、と記載されている。
　同じく刊行物２（特開昭５７ー１０４３６８号公報）には、「原稿面を照明することによって生じた光画像情報を光電変換して得られたビデオ信号を増幅する直流増幅器と、その増幅信号をサンプリングするアナログスイッチおよびそのアナログスイッチ出力を積分する積分器からなる帰還回路とによって構成され、ビデオ信号のブランク期間中にその帰還回路によってドリフト成分を算出して直流増幅器に帰還させるようにしたビデオ増幅装置」（特許請求の範囲）が、記載されている。
　同じく刊行物３（特開昭５３−４０２１１号公報）には、「合成映像信号はそのペデスタル部分が正しく基準電位（例えば接地電位）となる如くクランプされる。」（打２頁右上欄７〜９行目）、「本発明映像信号処理回路によれば、クランプ回路及び信号置換回路を有し、合成映像信号の水平ブランキング区間内の所定区間をクランプ回路にて所定クランプレベルにクランプすると共に、」（第３頁右上欄１９行〜左下欄３行目）と、記載されている。
　刊行物４（特開昭６０−１３０９６３号公報）には、「信号処理回路が前記基準オフセットレベル感知部から読み出される基準オフセットレベル電圧値を所定の値に制御する基準オフセットレベル電圧制御手段を含む」（第３頁左上欄１〜４行目）、「固体撮像装置の出力の基準オフセットレベル電圧ＶｏｐＢはいかなるときにも基準電圧ＶｏＬに保持される。」（第３頁右下欄１９行〜第４頁左上欄１行目）、と記載されている。
▲３▼．本件特許発明と刊行物記載発明との対比・判断
　刊行物１〜４の何れにも訂正後の本件特許発明の構成要件である▲１０▼「イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプティカルブラック部分を所定電位にクランプすることによって前記第２の増幅手段の動作バイアス点を決定する第一の直流再生クランプ手段と、前記第２の増幅手段により増幅された画像信号を増幅する第３の増幅手段と、前記第３の増幅手段により増幅された画像信号をデジタル信号に変換するＡ／Ｄ変換手段と、前記第３の増幅手段により増幅された画像信号中の前記イメージセンサのオプティカルブラツク部分を前記Ａ／Ｄ変換手段の動作領域内の黒レベルと同じになるようにクランプすることによって前記第３の増幅手段の動作バイアス点を決定する第二の直流再生クランプ手段」は記載されていない。そして、この構成要件により本件特許発明は所期の目的を達成する。したがって、訂正後の本件特許発明は当業者が容易に発明をすることができたものということはできない。
　即ち、訂正後の本件特許発明が、刊行物１〜４に記載された発明であるとも、刊行物１〜４に記載された発明に基づいて、当業者が容易に発明をすることができたとも認められない。
▲４▼　独立特許要件の存否
　▲１▼〜▲３▼を総合して判断すると、訂正後における特許請求の範囲に記載された発明について、特許出願の際独立して特許を受けることができない発明とすることはできない。
４　訂正の適否
　１〜３を総合して判断すると、前記訂正請求は、特許法第１２０条の４第２項第１号乃至第３号に掲げる事項を目的とし、且つ同条第３項で準用する特許法第１２６条第２項乃至第４項の規定に適合するので、当該訂正を認める。
ＩＩＩ　特許異議の申立てについて
１　特許異議申立の理由の要旨
　本件特許発明は、甲第１号証（特開昭６１−２７７２６９号公報）、（甲第２号証（「画像電子回路」昭和６１年７月３０日、（株）コロナ社発行、Ｐ．７２−７７）及び参考文献１（特開昭６０−７６８７６号公報）、参考文献２（特開昭５３−４０２１１号公報）、参考文献３（特開昭５７−１０４３６８号公報））に記載された発明に基づいて、当業者が容易に発明をすることができたものであるから、特許法第２９条第２項の規定により特許を受けることができないものである。
２　特許異議申立の理由の適否
　訂正後の本件特許発明は、上記ＩＩの３で詳細に述べた様に、取消理由通知で示した甲第１号証（刊行物１）および参考文献２および３（刊行物３および２）に記載された発明から容易に発明をすることができたものとすることはできない。また、他の証拠（甲第２号証、参考文献１）にも上記▲１０▼の点が記載されていない。
ＩＶ　拒絶理由の存否
　尚、他に本件特許を取り消すべき理由を発見しない。
Ｖ　結び
　以上述べた通り、前記訂正請求はこれを認め、特許異議の申立は理由がなく、他に本件特許を取り消すべき理由を発見しない。
　よって、結論のとおり決定する。
【異議決定日】
平成１１年５月１９日（１９９９．５．１９）
【訂正の要旨】
訂正の要旨
▲１▼訂正事項ａ
　明細書の特許請求の範囲に係る記載「イメージセンサと、前記イメージセンサから出力された画像信号を増幅する第１の増幅手段と、前記第１の増幅手段により増幅された画像信号の信号レベルが回路直線動作領域内に存在するように前記第１の増幅手段の動作バイアス点を決定する第一の直流再生クランプ手段と、前記第１増幅手段により増幅された画像信号を増幅する第２の増幅手段と、前記第２の増幅手段により増幅された画像信号をデジタル信号に変換するＡ／Ｄ変換手段と、前記第２の増幅手段により増幅された画像信号の黒レベルが前記Ａ／Ｄ変換手段の動作領域内の黒レベルと同じになるように前記第２の増幅手段の動作バイアス点を決定する第二の直流再生クランプ手段と、を有することを特徴とする画像読み取り装置。」を、
　「（１）イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプテイカルブラック部分を所定電位にクランプすることによって前記第２の増幅手段の動作バイアス点を決定する第一の直流再生クランプ手段と、前記第２の増幅手段により増幅された画像信号を増幅する第３の増幅手段と、前記第３の増幅手段により増幅された画像信号をデジタル信号に変換するＡ／Ｄ変換手段と、前記第３の増幅手段により増幅された画像信号中の前記イメージセンサのオプティカルブラツク部分を前記Ａ／Ｄ変換手段の動作領域内の黒レベルと同じになるようにクランプすることによって前記第３の増幅手段の動作バイアス点を決定する第二の直流再生クランプ手段と、を有することを特徴とする画像読み取り装置。」と訂正する。
▲２▼訂正事項ｂ
　明細書第３頁第１１行目〜同１７行目（特許公報第２頁左欄１６〜２８行）の「本発明によれば、イメージセンサと、前記イメージセンサから出力された画像信号を増幅する第１の増幅手段と、前記第１の増幅手段により増幅された画像信号の信号レベルが回路直線動作領域内に存在するように前記第１の増幅手段の動作バイアス点を決定する第一の直流再生クランプ手段と、前記第１の増幅手段により増幅された画像信号を増幅する第２の増幅手段と、前記第２の増幅手段により増幅された画像信号をデジタル信号に変換するＡ／Ｄ変換手段と、前記第２の増幅手段により増幅された画像信号の黒レベルが前記Ａ／Ｄ変換手段の動作領域内の黒レベルと同じになるように前記第２の増幅手段の動作バイアス点を決定する第二の直流再生クランプ手段と、を有することを特徴とする。」を
　「本発明によれば、イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプテイカルブラック部分を所定電位にクランプすることによって前記第２の増幅手段の動作バイアス点を決定する第一の直流再生クランプ手段と、前記第２の増幅手段により増幅された画像信号を増幅する第３の増幅手段と、前記第３の増幅手段により増幅された画像信号をデジタル信号に変換するＡ／Ｄ変換手段と、前記第３の増幅手段により増幅された画像信号中の前記イメージセンサのオプテイカルブラツク部分を前記Ａ／Ｄ変換手段の動作領域内の黒レベルと同じになるようにクランプすることによって前記第３の増幅手段の動作バイアス点を決定する第二の直流再生クランプ手段と、を有することを特徴とする。」と訂正する。
▲３▼　訂正事項ｃ
　明細書第７頁第６行目〜第１５行目（特許公報第２頁右欄４２行〜第３頁左欄９行目）の「以上説明したように、本発明の画像読み取り装置では、イメージセンサと前記イメージセンサから出力された画像信号を増幅する第１の増幅手段と、前記第１の増幅手段により増幅された画像信号の信号レベルが回路直線動作領域内に存在するように前記第１の増幅手段の動作バイアス点を決定する第一の直流再生クランプ手段と、前記第１の増幅手段により増幅された画像信号を増幅する第２の増幅手段と、前記第２の増幅手段により増幅された画像信号をデジタル信号に変換するＡ／Ｄ変換手段と、前記第２の増幅手段により増幅された画像信号の黒レベルが前記Ａ／Ｄ変換手段の動作領域内の黒レベルと同じになるように前記第２の増幅手段の動作バイアス点を決定する第二の直流再生クランプ手段と、を有する構成とした。このように構成したことにより、低い電圧でダイナミックレンジが大きく、安定した高画質な画像を再現できるようになった。また、電源電圧の低減により、電源を簡素化し、回路を集積化できるようになった。さらに装置の大幅なコストダウンを可能とした。」を
　「以上説明したように、本発明の画像読み取り装置では、イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプティカルブラツク部分を所定電位にクランプすることによって前記第２の増幅手段の動作バイアス点を決定する第一の直流再生クランプ手段と、前記第２の増幅手段により増幅された画像信号を増幅する第３の増幅手段と、前記第３の増幅手段により増幅された画像信号をデジタル信号に変換するＡ／Ｄ変換手段と、前記第３の増幅手段により増幅された画像信号中の前記イメージセンサのオプティカルブラック部分を前記Ａ／Ｄ変換手段の動作領域内の黒レベルと同じになるようにクランプすることによって前記第３の増幅手段の動作バイアス点を決定する第二の直流再生クランプ手段と、を有する構成とした。このように構成したことにより、低い電圧でダイナミックレンジが大きく、安定した高画質な画像を再現できるようになった。また、電源電圧の低減により、電源を簡素化し、回路を集積化できるようになった。さらに装置の大幅なコストダウンを可能とした。」と訂正する。
▲４▼　訂正事項ｄ
　明細書第３頁第４行目（特許公報第２頁左欄９行目）の「増幅器１２−１」を「増幅器２２−１」に訂正する。
▲５▼　訂正事項ｅ
　明細書第３頁第５行目（特許公報第２頁左欄９行目）の「増幅器１２−１」を「増幅器２２−１」に訂正する。
▲６▼　訂正事項ｆ
　明細書第４頁第１６行目〜第１７行目（特許公報第２頁左欄４６行目）の「ＤＣクランブ４回路」を「ＤＣクランプ回路」に訂正する。
▲７▼　訂正事項ｇ
　明細書第５頁第２行目〜第４行目（特許公報第２頁右欄１〜２行目）の「第２−１図▲１▼で示すオプチカルブラツクに対応したＤＫ及ぶＧ、Ｂ、Ｒ」を「第２図▲１▼で示すオプチカルブラツクに対応したＤＫ及ぶＧ、Ｂ、Ｒ」に訂正する。
（５４）【発明の名称】
画像読み取り装置
（５７）【特許請求の範囲】
（１）イメージセンサと、
　前記イメージセンサから出力された画像信号を増幅する第１の増幅手段と、
　前記第１の増幅手段により増幅された画像信号を増幅する第２の増幅手段と、
　前記第２の増幅手段により増幅された画像信号の信号レベルが回路直線動作領域内に存在するように前記イメージセンサのオプテイカルブラック部分を所定電位にクランプすることによって前記第２の増幅手段の動作バイアス点を決定する第一の直流再生クランプ手段と、
　前記第２の増幅手段により増幅された画像信号を増幅する第３の増輻手段と、
　前記第３の増幅手段により増幅された画像信号をデジタル信号に変換するＡ／Ｄ変換手段と、
　前記第３の増幅手段により増幅された画像信号中の前記イメージセンサのオプティカルブラック部分を前記Ａ／Ｄ変換手段の動作領域内の黒レベルと同じになるようにクランプすることによって前記第３の増幅手段の動作バイアス点を決定する第二の直流再生クランプ手段と、
を有することを特徴とする画像読み取り装置。
【発明の詳細な説明】
〔産業上の利用分野〕
　本発明は、画像をイメージセンサにより読み取る画像読み取り装置に関するものである。
〔従来の技術〕
　従来、この種の装置は第５図に示す様にカラーリニアイメージセンサ２１が出力する色分解複合画像信号を増幅器１２−１にてそのまま単純増幅した後サンプルホールド回路２５により独立した色分解信号に分離し、この独立色分解信号に復調増幅を増幅器１２−２により行い、かつイメージセンサが出力する暗時出力レベルに色画像信号の黒レベルを合わせる構成であった。尚、２３はコンデンサ、２６は色分解信号を直列信号に変換するマルチプレクサ、２７はアンプ、２８はアナログ−デジタル変換器、２９は制御部である。
〔発明が解決しようとする問題点〕
　しかしながら上記従来例においては色分解複合信号の増幅器２２−１が十分なる直線性を依持する為には比較的高い増幅器２２−１の電源電圧を必要とし、テジタル回路にて一般に使用されている５Ｖなる単一電源によるアナログ信号増幅手段の構成は難しく、この為アナログ回路専用電源を要し電源装置構成を複雑化しコストアツプを招いていた。
〔問題点を解決するための手段〕
　本発明によれば、イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプティカルブラック部分を所定電位にクランプすることによって前記第２の増幅手段の動作バイアス点を決定する第一の直流再生クランプ手段と、前記第２の増幅手段により増幅された画像信号を増幅する第３の増輻手段と、前記第３の増幅手段により増幅された画像信号をデジタル信号に変換するＡ／Ｄ変換手段と、前記第３の増幅手段により増幅された画像信号中の前記イメージセンサのオプテイカルブラック部分を前記Ａ／Ｄ変換手段の動作領域内の黒レベルと同じになるようにクランプすることによって前記第３の増幅手段の動作バイアス点を決定する第二の直流再生クランプ手段と、を有することを特徴とする。
〔実施例〕
　第１図は本発明の実施例構成を示すブロツク図であり、第２図は本実施例の主要タイミング図、第３図は本実施例の信号レベル遷移図である。
　第１図において、１は原稿台上のカラー原稿画像読み取り三色の色分解複合信号を出力するグリーン（Ｇ）、ブルー（Ｂ）、レツド（Ｒ）の色分解フイルタを有したＣＣＤ等のカラーリニアイメージセンサ、２−１〜２−３はイメージセンサ出力及び処理信号を増幅する高帯域直流増幅器、３−１，３−２は信号結合用のコンデンサ、４−１〜４−３は直流増幅器の動作バイアス点を決定するＤＣクランプ回路、５は色分解複合信号を独立色分解信号へ分離復調するサンプルホールド回路、６は独立色分解され所定レベルに増幅された色信号を１つのＡ／Ｄ変換器にてアナログーデジタル変換する為に再度色信号複合化する為のアナログマルチプレクサ回路、８は再度色信号複合化されたアナログ信号をデジタル信号へ変換する為のＮＤ変換器、９はＤＣクランプ４回路，サンプルホールド回路５，アナログマルチプレクサ回路６，Ａ／Ｄ変換器８及びカラーリニアイメージセンサ１に適切なタイミングパルスを印加するタイミングパルス発生器である。
　上記構成にてタイミングパルス発生器９により各部駆動パルスが供給されるとセンサ１からは第２−１図▲１▼で示すオプチカルブラツクに対応したＤＫ及ぶＧ，Ｂ，Ｒの繰返しである色分解信号部からなる色分解複合画像信号が出力される。高帯域ＤＣ増幅器２−１はこの色分解複合画像信号を複合状態にて所定レベルに増幅する。この増幅に際し、増幅器２−２、コンデンサ３−１、ＤＣ再生クランプ部４−１から成る増幅回路系が第３図で示す回路直線動作領域内に信号レベルが存在する様にＤＣ再生クランプ部４−１によりＤＫパルス▲６▼に応答してセンサ出力のＤＫ部を基準に適正バイアスを発生する。
　増幅器２−２にて増幅された色分解複合画像信号はＳＩＨパルス▲３▼，▲４▼，▲５▼により夫々動作するサンプルホールド回路５にて３つの独立色分解画像信号へと復調され、次段の増幅器２−３、コンデンサ３−２、ＤＣ再生クランプ部４−２からなる増幅回路系により独立色分解画像信号として増幅される。この際信号レベルが第３図で示すＡ／Ｄ変換器８の動作領域内の画像黒レベルに信号のＤＫ部が来る様にＤＣ再生クランプ部４−２がＤＫパルス▲６▼に応答して適正バイアスを発生する。
　次段となるマルチプレクサ回路６は、画像黒レベルを決定された３つの独立画像信号をＭＰＸパルス▲７▼に従って再度複合化し、バツフアアンプ７を通してＡ／Ｄ変換器８へ信号供給する。Ａ／Ｄ変換器８はマルチプレクサ６とバツフアアンプ７を介して順次送出される複合色画像信号をＡ／ＤＣＬＫに従って順次デジタル複合色データへと変換する。
　本実施例ではイメージセンサが出力する色分解複合画像信号を低い電源電圧にて最大のダイナミツクレンジを確保する為、センサからの出力をまず適正バイアスにてＤＣクランプをかけ、次に画像黒レベルを決定する為独立色分解信号増幅回路にてセンサＤＫレベルをＡ／Ｄ変換器の黒レベルにクランプするという２段階のクランプを行ったが、この場合本実施例中のマルチプレクサ部６及びバツフアアンプ部７には電圧ドソフトの小さな回路構成をとり、画像レベルの安定をはからねばならない。しかし、第４図の様にＡ／Ｄ変換器８の直前の増幅処理された色分解複合状態にて更なるＤＣクランプをＤＣクランプ部４−３によってかける事によりマルチプレクサ部６、バツファアンプ７の電圧ドリフトを無視する構成も可能である。
〔発明の効果〕
　以上説明したように、本発明の画像読み取り装置では、イメージセンサと、前記イメージセンサから出力された画像信号を増幅する第１の増幅手段と、前記第１の増幅手段により増幅された画像信号を増幅する第２の増幅手段と、前記第２の増幅手段により増幅された画像信号の信号レベルが回路直線動作領域内に存在するように前記イメージセンサのオプティカルブラック部分を所定電位にクランプすることによって前記第２の増幅手段の動作バイアス点を決定する第一の直流再生クランプ手段と、前記第２の増幅手段により増幅された画像信号を増幅する第３の増輻手段と、前記第３の増幅手段により増幅された画像信号をデジタル信号に変換するＡ／Ｄ変換手段と、前記第３の増幅手段により増幅された画像信号中の前記イメージセンサのオプティカルブラック部分を前記Ａ／Ｄ変換手段の動作領域内の黒レベルと同じになるようにクランプすることによって前記第３の増幅手段の動作バイアス点を決定する第二の直流再生クランプ手段と、を有する構成とした。このように構成したことにより、低い電圧でダイナミックレンジが大きく、安定した高画質な画像を再現できるようになった。また、電源電圧の低減により、電源を簡素化し、回路を集積化できるようになった。さらに装置の大幅なコストダウンを可能とした。
【図面の簡単な説明】
　第１図は本発明の実施例である画像読み取り装置のブロック図、
　第２図は本発明の実施例の主要タイミング図。
　第３図は本発明の実施例の信号レベル遷移図。
　第４図は本発明の他の実施例を示すブロック図。
　第５図は本装置従来実施例を示すブロック図であり、
　１はカラーリニアイメージセンサ、２−１〜２−３は高帯域直流増幅器、３−１，３−２はコンデンサ、４−１〜４−３はＤＣクランプ回路、５はサンプルホールド回路、６はアナログマルチプレクサ回路、９はタイミングパルス発生器である。